Podtech/llm-jp-corpus-v4-ja_patent huggingface dataset:
【手続補正書】
【提出日】平成25年6月28日(2013.6.28)
【手続補正１】
【補正対象書類名】明細書
【補正対象項目名】００２１
【補正方法】変更
【補正の内容】
【００２１】
図１の実施の形態では、内表面９は首部分４内に直接かつ連続的に延在する。第１の端部３における部分１４は実質的に球状かまたは花弁状底部分を形成するための形状をしていてもよいが、これとは別に、内面９は実質的に円筒状にすることができる。首部分４は、第２の端部５に実質的に平坦な、円形の端部表面１５を有していてもよい。他の実施の形態では、首部分は異なる形状の端部表面１５、例えば、限定されないが、部分的または完全に円錐状、凹状または鋸歯状の端部表面を有していてもよい。他の実施の形態では、端部表面は円形とは異なる形状、例えば、限定されないが、細長形状、卵形状、正方形状、矩形状または多角形状をしていてもよい。
【手続補正２】
【補正対象書類名】明細書
【補正対象項目名】００２７
【補正方法】変更
【補正の内容】
【００２７】
容器２３に飲料を充填した後、さらなるステーションにおいて、容器２３を閉鎖する閉鎖構造、弁または例えば、限定されないが、飲料用弁と気体用弁との組み合わせのような弁アセンブリのような他の要素を容器２３に追加することができる。そのような弁アセンブリはサンケイ（Ｓａｎｋｅｙ）型または平頭型アセンブリのような既知の型の弁であってもよい。他の実施の形態では、ライザー管２６およびコネクタ２７のような分注装置を、例えば図７及び図８に示すように、蓋１６に設け、飲料を分注するために容器２３を分注装置３０に、例えば図９に示すように、結合できるようにすることができる。そのような分注装置は、例えば、ＥＰ１００３６８６またはＷＯ２００４／０５０５３９またはＥＰ１６２６９２５から公知である。他の分注装置は、ＣＯ２のような加圧ガスを容器内に導入し、飲料が容器から、例えば飲料エンジン（ｂｅｖｅｒａｇｅ  ｅｎｇｉｎｅ）、タッピング・コック３０Ａ等に分注できるようにするために、例えば、容器２３の首部４に結合されるタッピング・ヘッドを有する通常の装置であってもよい。さらに別の実施の形態では、飲料を分注するために、エアロゾル型弁のような弁２０を蓋１６に設けてもよい。代替的な実施の形態では、これは加圧ガスを容器２３に導入するためでもある。そのような弁は、例えば，ＷＯ２００８／０４８０９８から公知である。
【手続補正３】
【補正対象書類名】明細書
【補正対象項目名】００２９
【補正方法】変更
【補正の内容】
【００２９】
プリフォーム１は、縦軸Ｌに垂直な内部断面を持つ首部分４を有していてもよい。この断面は直径Ｄが２ｃｍより大きい、例えば直径が２ｃｍと１０ｃｍの間、さらに詳しくは３ｃｍと６ｃｍの間、例えば約４９ｍｍである円形領域により形成され、またはこれに匹敵する表面積を有する。蓋要素１６は中央開口部１８を有していてもよく、この中央開口部１８は、直径Ｄ１が、例えば０．５ｃｍと６ｃｍの間、例えば０．５ｃｍと４ｃｍの間である円形表面により形成されるか、またはこれに匹敵する内部表面積を有する。この面積は首部分４の開口部７の面積よりも小さい。開口部１８は円形であってもよく、その中にまたはそれを覆ってエアロゾル弁２０を嵌合させるように設計されていてもよい。他の実施の形態では、蓋要素１６は異なる開口部１８、例えば２つの開口部を隣り合わせに有し、例えば、一方の開口部１８に、ライザー管２６を持つ弁２０、またはライザー管２６を持たない弁２０のような分注要素を嵌合して容器１の、飲料例えばビールのような内容物を分注するようにすることができ、他方の開口部１８には、例えばＣＯ２源または空気ポンプ３１のようなガス導入口を取付けることができる。
【手続補正４】
【補正対象書類名】明細書
【補正対象項目名】００３４
【補正方法】変更
【補正の内容】
【００３４】
図６において、プリフォーム・アセンブリ３１は、第１のプリフォーム１Ａを備え、プリフォーム１Ａは第２のプリフォーム１Ｂに比較的にぴったりと嵌合し、それらの端部５Ａ、Ｂは実質的に同じ平面内にある。開口部１８を備えた蓋要素１６が２つのプリフォーム１Ａ，Ｂの少なくとも１つに設けられている。図示の実施の形態では、蓋要素１６は、首部分４Ｂの外表面９Ｃの外側に延在する外周部分１７を有する。好ましくは、蓋要素１６は第２のプリフォーム１Ｂに少なくとも結合され、そのため第１のプリフォーム１Ａを第２のプリフォーム１Ｂ内に包み込んでいる。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
パウチを支持体に配置し、
前記パウチがカートリッジの第１半部の中に入るように、前記パウチおよび前記支持体の上に前記カートリッジの第１半部を配置し、
カートリッジを形成するために、前記パウチおよび前記カートリッジの第１半部をカートリッジの第２半部の上に配置し、
充填ユニットへ前記カートリッジを誘導し、そして
前記カートリッジ内の前記パウチを充填する
ことを含む、１つ以上のパウチを有するカートリッジを充填するための方法。
【請求項２】
取り付け部品によって前記パウチを懸下する工程、および前記パウチを搬送する工程を更に含む、請求項１に記載の方法。
【請求項３】
取り付け部品を介してパウチ支持体内でパウチを懸下することによって、パウチを支持体に配置し、
前記パウチおよび前記支持体の上にカートリッジの第１半部を配置し、
カートリッジを形成するために、前記パウチおよび前記カートリッジの第１半部をカートリッジの第２半部の上に配置し、
充填ユニットへ前記カートリッジを誘導し、そして
前記カートリッジ内の前記パウチを充填する
ことを含む、１つ以上のパウチを有するカートリッジを充填するための方法であって、
前記パウチおよび前記支持体の上に前記第１カートリッジ半部を配置する工程が、取り付け部品に前記第１カートリッジ半部を取り付けることを特徴とする方法。
【請求項４】
パウチを支持体に配置し、
前記パウチおよび前記支持体の上にカートリッジの第１半部を配置し、
パウチおよびカートリッジ用パレットの底部カートリッジ支持体に前記第２カートリッジ半部を配置し、
カートリッジを形成するために、前記パウチおよび前記第１カートリッジ半部を前記第２カートリッジ半部の上に配置し、
充填ユニットへ前記カートリッジを誘導し、そして
前記カートリッジ内の前記パウチを充填する
ことを含む、１つ以上のパウチを有するカートリッジを充填するための方法。
【請求項５】
パウチを支持体に配置し、
前記パウチおよび前記支持体の上にカートリッジの第１半部を配置し、
カートリッジを形成するために、前記パウチおよび前記カートリッジの第１半部をカートリッジの第２半部の上に配置し、
前記第１カートリッジ半部および前記第２カートリッジ半部を熱かしめさせ、
充填ユニットへ前記カートリッジを誘導し、そして
前記カートリッジ内の前記パウチを充填する
ことを含む、１つ以上のパウチを有するカートリッジを充填するための方法。
【請求項６】
パウチを支持体に配置し、
前記パウチおよび前記支持体の上にカートリッジの第１半部を配置し、
カートリッジを形成するために、前記パウチおよび前記カートリッジの第１半部をカートリッジの第２半部の上に配置し、
充填ユニットへ前記カートリッジを誘導し、そして
前記カートリッジ内の前記パウチを充填する
ことを含む、１つ以上のパウチを有するカートリッジを充填するための方法であって、
前記カートリッジを操作して移動する工程が、パックに前記カートリッジを積載することを特徴とする方法。
【請求項７】
パウチを支持体に配置し、
前記パウチおよび前記支持体の上にカートリッジの第１半部を配置し、
カートリッジを形成するために、前記パウチおよび前記カートリッジの第１半部をカートリッジの第２半部の上に配置し、
充填ユニットへ前記カートリッジを誘導し、そして
前記カートリッジ内の前記パウチを充填する
ことを含む、１つ以上のパウチを有するカートリッジを充填するための方法であって、
前記カートリッジ内の前記パウチを充填する工程が、前記パウチの取り付け部品内に充填ノズルを配置することを特徴とする方法。
【請求項８】
パウチを支持体に配置し、
前記パウチおよび前記支持体の上にカートリッジの第１半部を配置し、
カートリッジを形成するために、前記パウチおよび前記カートリッジの第１半部をカートリッジの第２半部の上に配置し、
充填ユニットへ前記カートリッジを誘導し、そして
前記カートリッジ内の前記パウチを充填する
ことを含む、１つ以上のパウチを有するカートリッジを充填するための方法であって、
前記カートリッジが内部に２つのパウチを包含し、前記カートリッジ内の前記パウチを充填する工程が、第１パウチを充填してから、第２パウチを充填することを特徴とする方法。
【請求項９】
パウチ搬送システム、
パウチおよびカートリッジ用パレット、
前記パウチ搬送システムからパウチを前記パウチおよびカートリッジ用パレットに配置するためのパウチ移送アセンブリ、
前記パウチ上にカートリッジの第１半部を配置し、前記パウチおよびカートリッジ用パレット上にカートリッジの第２半部を配置するためのカートリッジ離脱装置、
前記パウチと共に前記カートリッジの第１半部を前記カートリッジの第２半部の上に配置するためのカートリッジ組立装置、ならびに
前記カートリッジの前記パウチに液体を充填するためのカートリッジ充填ユニット
を包含する容器充填システム。
【請求項１０】
パックに複数のカートリッジを積載するためのパック積載ステーションを更に包含する、請求項９に記載の容器充填システム。
【請求項１１】
前記カートリッジ充填ユニットが、複数の充填ノズルを包含する、請求項９に記載の容器充填システム。
【請求項１２】
カートリッジ取り出しアセンブリを更に包含し、前記カートリッジ取り出しアセンブリは、前記カートリッジ離脱アセンブリと協働することを特徴とする、請求項９に記載の容器充填システム。
【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
個体においてアルツハイマ病またはアルツハイマ関連障害の発症を遅延させるためまたは治療するためのワクチンであって、Ｎ末端切断型Ａβを含む生理的に許容されるプロトフィブリル／オリゴマの治療有効量を含有する、ワクチン。
【請求項２】
プロトフィブリル／オリゴマが少なくとも５０％のＮ末端切断型Ａβを含む、請求項１に記載のワクチン。
【請求項３】
プロトフィブリル／オリゴマがＡβｘ−ｙの１またはそれ以上を含み、前記式中、任意の組合せで、ｘは２、３、３（ｐＥ）、４、５、６、７、８、９、１０、１１、１１（ｐＥ）または１２であり、およびｙは３８、３９、４０、４１、４２または４３である、請求項１または２に記載のワクチン。
【請求項４】
プロトフィブリル／オリゴマが、任意の組合せでＡβ２〜４２、Ａβ３（ｐＥ）〜４２、Ａβ４〜４２またはＡβ１１（ｐＥ）〜４２の１またはそれ以上を含む、請求項３に記載のワクチン。
【請求項５】
プロトフィブリル／オリゴマがＡβ３（ｐＥ）〜４２を含む、請求項４に記載のワクチン。
【請求項６】
Ｎ末端切断型プロトフィブリル／オリゴマが疎水性有機物質で安定化されている、請求項１乃至５のいずれか１項に記載のワクチン。
【請求項７】
個体においてアルツハイマ病またはアルツハイマ関連障害の発症を遅延させるためまたは治療するための抗体であって、１またはそれ以上のＮ末端切断型Ａβプロトフィブリル／オリゴマに結合するが、完全長Ａβモノマとは交差反応性を示さないかまたは実質的に交差反応性を示さず、場合によりＮ末端切断型Ａβモノマに交差反応性を示す、抗体。
【請求項８】
２５ｎＭまたはそれ以下のＩＣ５０値を有する、１種類のＡβｘ−ｙを少なくとも８０％含む、または２種類もしくはそれ以上のＡβｘ〜ｙの１つの組合せを少なくとも８０％含むプロトフィブリル／オリゴマに結合し、前記式中、ｘが２、３、３（ｐＥ）、４、５、６、７、８、９、１０、１１、１１（ｐＥ）または１２であり、およびｙが３８、３９、４０、４１、４２または４３である、請求項７に記載の抗体。
【請求項９】
プロトフィブリル／オリゴマが、任意の組合せでＡβ２〜４２、Ａβ３（ｐＥ）〜４２、Ａβ４〜４２またはＡβ１１（ｐＥ）〜４２の１またはそれ以上を含む、請求項７または８に記載の抗体。
【請求項１０】
１００ｎＭまたはそれ以下のＩＣ５０値を有する、１００％Ａβ３（ｐＥ）〜４２を含むプロトフィブリル／オリゴマに結合する抗体。
【請求項１１】
モノクローナルである、請求項７乃至１０のいずれか１項に記載の抗体。
【請求項１２】
抗体がヒト、ヒト化であるか、またはヒトにおける抗原性を低減するように改変されている、請求項７乃至１１のいずれか１項に記載の抗体。
【請求項１３】
抗体がＩｇＧクラス、例えばＩｇＧ１またはＩｇＧ４サブクラスである、請求項７乃至１２のいずれか１項に記載の抗体。
【請求項１４】
抗体が低い補体活性を有する、請求項７乃至１３のいずれか１項に記載の抗体。
【請求項１５】
抗体がＦａｂフラグメント、例えばＦ（ａｂ）、Ｆ（ａｂ）２またはダイアボディである、請求項７乃至１４のいずれか１項に記載の抗体。
【請求項１６】
請求項７乃至１５のいずれか１項に記載の抗体を、プロトフィブリル／オリゴマを含有するまたは含有することが疑われる生物学的試料に添加し、抗体とプロトフィブリル／オリゴマの間で形成される複合体の濃度を測定することを含む、Ｎ末端切断型Ａβプロトフィブリル／オリゴマを検出するための方法。
【請求項１７】
抗体がＮ末端切断型Ａβモノマに交差反応性を示し、ならびに該方法が、抗体とＮ末端切断型Ａβプロトフィブリル／オリゴマの間で形成される複合体、および抗体とＮ末端切断型Ａβモノマの間で形成される複合体の濃度を測定する、請求項１６に記載の方法。
【請求項１８】
請求項７乃至１５のいずれか１項に記載の抗体および医薬的に許容される緩衝剤を含有する組成物。
【請求項１９】
アルツハイマ病またはアルツハイマ関連疾患の発症を遅延させるためまたは治療するための医薬組成物を製造するための、請求項７乃至１５のいずれか１項に記載の抗体の使用。
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
地黄抽出物、甘草抽出物、ヨクイニン抽出物、麦芽抽出物、カリン抽出物、五加皮抽出物及び葛根抽出物からなる複合抽出物を有効成分として含有する、皮膚の弾力増進組成物。
【請求項２】
地黄抽出物、甘草抽出物、ヨクイニン抽出物、麦芽抽出物、カリン抽出物、五加皮抽出物及び葛根抽出物からなる複合抽出物を有効成分として含有する、皮膚のシワ改善組成物。
【請求項３】
地黄抽出物、甘草抽出物、ヨクイニン抽出物、麦芽抽出物、カリン抽出物、五加皮抽出物及び葛根抽出物からなる複合抽出物を有効成分として含有する、皮膚の老化防止組成物。
【請求項４】
前記複合抽出物を有効成分として含有する組成物は、脂肪細胞の分化を促進することを特徴とする、請求項１〜３のいずれか一項記載の組成物。
【請求項５】
前記複合抽出物を有効成分として含有する組成物は、脂肪球の生成を促進することを特徴とする、請求項１〜３のいずれか一項記載の組成物。
【請求項６】
前記地黄抽出物、前記甘草抽出物、前記ヨクイニン抽出物、前記麦芽抽出物、前記カリン抽出物、前記五加皮抽出物及び前記葛根抽出物の重量比は、２０〜３０：１〜１０：２０〜３０：１〜１０：１〜１０：５〜１５：２０〜３０であることを特徴とする、請求項１〜３のいずれか一項記載の組成物。
【請求項７】
地黄抽出物、甘草抽出物、ヨクイニン抽出物、麦芽抽出物、カリン抽出物、五加皮抽出物及び葛根抽出物からなる複合抽出物を有効成分として含有する皮膚外用剤組成物。
【請求項８】
前記地黄抽出物、前記甘草抽出物、前記ヨクイニン抽出物、前記麦芽抽出物、前記カリン抽出物、前記五加皮抽出物及び前記葛根抽出物の重量比は、２０〜３０：１〜１０：２０〜３０：１〜１０：１〜１０：５〜１５：２０〜３０であることを特徴とする、請求項７記載の皮膚外用剤組成物。
【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
ＣＢＤを含む部分発作の治療剤であって、前記ＣＢＤが、少なくとも４００ｍｇの一日量をもたらす量で存在することを特徴とする治療剤。
【請求項２】
前記ＣＢＤが、４００ｍｇ〜８００ｍｇの一日量をもたらす量で存在する、請求項１に記載の治療剤。
【請求項３】
前記部分発作が最も重度の発作へと進展している、請求項１又は２に記載の治療剤。
【請求項４】
前記最も重度の発作が強直間代発作である、請求項３に記載の治療剤。
【請求項５】
前記ＣＢＤを、ＴＨＣＶと組み合わせて使用する、請求項１〜４のいずれか一項に記載の治療剤。
【請求項６】
前記ＴＨＣＶが、少なくとも１．５ｍｇの１日量をもたらす量で存在する、請求項５に記載の治療剤。
【請求項７】
前記ＴＨＣＶが、少なくとも１５ｍｇの１日量をもたらす量で存在する、請求項６に記載の治療剤。
【請求項８】
前記ＣＢＤ又は前記ＣＢＤとＴＨＣＶと組み合わせが、植物抽出物として存在する、請求項１〜７のいずれかに記載の治療剤。
【請求項９】
前記植物抽出物が、該植物抽出物に存在する任意のカンナビノイドに対する百分率として５重量％未満のＴＨＣを含む、請求項８に記載の治療剤。
【請求項１０】
前記植物抽出物が、該植物抽出物に存在する任意のカンナビノイドに対する百分率として１重量％未満のＴＨＣを含む、請求項９に記載の治療剤。
【請求項１１】
前記ＣＢＤ又は前記ＣＢＤとＴＨＣＶと組み合わせが、純粋な又は単離されたカンナビノイドとして存在する、請求項１〜７のいずれかに記載の治療剤。
【請求項１２】
ＣＢＤを含む、部分発作の治療用組成物。
【請求項１３】
部分発作の治療における使用のための薬物を製造するためのＣＢＤの使用。
【手続補正書】
【提出日】平成25年4月5日(2013.4.5)
【手続補正１】
【補正対象書類名】特許請求の範囲
【補正対象項目名】請求項１
【補正方法】変更
【補正の内容】
【請求項１】
（ａ）少なくとも５２５℃の初留点、５〜９°のＡＰＩ比重および２０〜４０パーセントのコンラドソン残留炭素分を有する重質原油から誘導された石油残油フィードを、コーキングドラム圧１００〜５５０ｋＰａｇという圧力下で、最高５００℃までのコーキング温度に加熱する工程；
（ｂ）前記残油に対して前記添加物中の金属３００〜３０００ｗｐｐｍの量で、アルカリ金属またはアルカリ土類金属の炭酸塩を含む塩基性添加物の水溶液を前記残油中に注入する工程；
（ｃ）ディレードコーキングドラム内で前記残油をコーキングし、この残油からコーキング蒸気生成物を収集して前記ドラム内で塊としてコークス製品を形成する工程；
（ｄ）前記ドラム内で前記コークスの塊を急冷して、前記塩基性添加物の不在下に比べてより高い多孔率およびより低い密度の固体コークス製品を生産する工程
を含むディレードコーキング方法。
【手続補正書】
【提出日】平成25年6月17日(2013.6.17)
【手続補正１】
【補正対象書類名】特許請求の範囲
【補正対象項目名】請求項３
【補正方法】変更
【補正の内容】
【請求項３】
Ｘ、Ｘ１が、各々、互いに独立してＣＯまたはＣＨ２を示す、
請求項１または２に記載の化合物、あるいは、それらの薬学的に使用可能な塩または立体異性体、あるいはすべての比率でのそれらの混合物。
【手続補正２】
【補正対象書類名】特許請求の範囲
【補正対象項目名】請求項９
【補正方法】変更
【補正の内容】
【請求項９】
Ｒが、Ｈａｌ、ＡｒまたはＨｅｔ１を示し、
Ｒ１が、ＳＯ２Ａ、ＣＯＯＡ、ＣＯＯＨ、Ｃｙｃ、Ｈｅｔ、Ａｒ、ＣＯＨｅｔ、ＣＯＮＨＨｅｔ、ＣＯＮＨＡｒ、ＣＨＯ、ＣＯＮＨ２、ＣＯＮＨＡ、ＣＯＮＡ２、（ＣＨ２）ｎ２ＯＨ、（ＣＨ２）ｎ２ＯＡ、ＯＡｒ、ＮＨＡｒ、（ＣＨ２）ｎ２ＮＨ２、（ＣＨ２）ｎ２ＮＨＡ、（ＣＨ２）ｎ２ＮＡ２またはＡを示し、
Ｒ２が、Ｈ、（ＣＨ２）ｎ３ＮＨ２、（ＣＨ２）ｎ３ＮＨＡ、（ＣＨ２）ｎ３ＮＡ２、（ＣＨ２）ｎ３ＯＨ、（ＣＨ２）ｎ３ＯＡ、（ＣＨ２）ｎ３Ｈｅｔ２、ＣＨ２ＣＯＨｅｔ２、ＣＨ２ＣＯＮＨ２、ＣＨ２ＣＯＮＨＡ、ＣＨ２ＣＯＮＡ２またはメチルを示し、
Ｘ、Ｘ１が、各々、互いに独立してＣＯまたはＣＨ２を示し、
Ｙ、Ｙ１が、ＣＨを示し、
Ｑが、ＣＯ、ＳＯ２またはＣＯＯを示し、
Ｅが、ＣＯ、ＣＨ（ＯＨ）、ＣＡ（ＯＨ）、ＣＨ（ＯＡ）、ＣＡ（ＯＡ）、ＣＨ（ＮＨ２）、Ａｌｋ、
【化３】
2012532901.tif 000001
を示し、
Ａｌｋが、１〜８個のＣ原子を有する直鎖状または分枝状アルキレンを示し、ここで１つまたは２つのＣＨ２基が、Ｏおよび／またはＮＨによって置き換えられていてもよく、
ｎ１が、０、１または２を示し、
ｎ２が、０、１、２、３または４を示し、
ｎ３が、１、２、３または４を示し、
Ａｒが、非置換であるか、またはＨａｌ、Ａ、ＯＨ、ＯＡ、ＮＨ２、ＮＨＡおよび／もしくはＮＡ２によって単置換、二置換もしくは三置換されているフェニルを示し、
Ｈｅｔが、１〜４個のＮ、Ｏおよび／またはＳ原子を有し、非置換であるか、またはＡ、Ｈｅｔ２、ＯＨ、ＮＨ２、ＮＨＡおよび／もしくはＮＡ２によって単置換、二置換もしくは三置換されていてもよい、単環式、二環式または三環式の飽和、不飽和または芳香族複素環を示し、
Ｈｅｔ１が、１〜４個のＮ、Ｏおよび／またはＳ原子を有し、非置換であるか、またはＡおよび／もしくはＨａｌによって単置換、二置換もしくは三置換されていてもよい、単環式、二環式または三環式の芳香族複素環を示し、
Ｈｅｔ２が、ピロリジニル、ピペリジニル、チアゾリジニル、モルホリニル、オキサゾリジニル、テトラヒドロキナゾリニル、テトラヒドロピラニル、ピペラジニル、チアゾリル、フリル、チエニル、ピロリル、イミダゾリル、ピラゾリル、オキサゾリル、イソキサゾリル、イソチアゾリル、ピリジル、ピリミジニル、トリアゾリル、テトラゾリル、オキサジアゾリルまたはチアジアゾリルを示し、その各々が、非置換であるかまたはＡによって単置換されており、
Ｃｙｃが、３〜７個のＣ原子を有する環状アルキルを示し、
Ａが、１〜１０個のＣ原子を有する非分枝状または分枝状アルキルを示し、
ここで１〜７個のＨ原子が、Ｆおよび／またはＣｌによって置き換えられていてもよく、
あるいは
３〜７個のＣ原子を有する環状アルキルを示し、
Ｈａｌが、Ｆ、Ｃｌ、ＢｒまたはＩを示す、
請求項１〜８のいずれか一項に記載の化合物、あるいは、それらの薬学的に使用可能な塩または立体異性体、あるいはすべての比率でのそれらの混合物。
【手続補正３】
【補正対象書類名】特許請求の範囲
【補正対象項目名】請求項１１
【補正方法】変更
【補正の内容】
【請求項１１】
請求項１〜１０のいずれか一項に記載の式Ｉで表される少なくとも１種の化合物もしくは化合物「Ｂ１」〜「Ｂ２７」、ならびに／または、それらの薬学的に使用可能な塩、互変異性体または立体異性体、あるいはすべての比率でのそれらの混合物、ならびに、任意に賦形剤および／または補助剤を含む、医薬。
【手続補正４】
【補正対象書類名】特許請求の範囲
【補正対象項目名】請求項１２
【補正方法】変更
【補正の内容】
【請求項１２】
腫瘍、腫瘍疾患または癌疾患の処置および／または予防のための、
請求項１〜１０のいずれか一項に記載の式Ｉで表される化合物または化合物「Ｂ１」〜「Ｂ２７」
あるいは、それらの薬学的に使用可能な塩または立体異性体、あるいはすべての比率でのそれらの混合物。
【手続補正５】
【補正対象書類名】特許請求の範囲
【補正対象項目名】請求項１３
【補正方法】変更
【補正の内容】
【請求項１３】
癌疾患が、扁平上皮の、膀胱の、胃の、腎臓の、頭頸部の、食道の、子宮頸部の、甲状腺の、腸の、肝臓の、脳の、前立腺の、尿生殖路の、リンパ系の、喉頭の、および／または肺の腫瘍の群から選択される、請求項１２に記載の化合物。
【手続補正６】
【補正対象書類名】特許請求の範囲
【補正対象項目名】請求項１６
【補正方法】変更
【補正の内容】
【請求項１６】
腫瘍が、急性骨髄性白血病、慢性骨髄性白血病、急性リンパ性白血病および／または慢性リンパ性白血病の群に由来する、請求項１２に記載の化合物。
【手続補正書】
【提出日】平成25年6月24日(2013.6.24)
【手続補正１】
【補正対象書類名】明細書
【補正対象項目名】００１７
【補正方法】変更
【補正の内容】
【００１７】
【特許文献１】特許出願ＤＥ１０  ２００９  ０３２  ８６６．１．
【特許文献２】米国特許第３，３３９，５４６号
【特許文献３】米国特許第４，２３１，３６９号
【特許文献４】米国特許第４，３６７，７３２号
【特許文献５】米国特許第４，２３１，３６９号
【特許文献６】米国特許第４，３６７，７３２号
【特許文献７】ＷＯ２００６／１３０４６１  Ａ１
【特許文献８】ＷＯ  ２００５／０５１３３３  Ａ１
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
抗原を発現する遺伝子組み換え型の細菌を含む、被験体において抗原への免疫反応を引き起こすための組成物。
【請求項２】
前記細菌が、マイクロカプセルへと調剤されることを特徴とする請求項１記載の組成物。
【請求項３】
前記抗原が、細菌抗原またはウイルス抗原であることを特徴とする請求項１に記載の組成物。
【請求項４】
前記細菌が、前記抗原を発現するＤＮＡと複合化されることを特徴とする請求項１に記載の組成物。
【請求項５】
前記細菌が、ラクトコッカス属であることを特徴とする請求項１に記載の組成物。
【請求項６】
前記抗原が、鳥インフルエンザウイルスＨ５Ｎ１の赤血球凝集素であることを特徴とする請求項１に記載の組成物。
【請求項７】
前記抗原が、粘膜細胞膜の表面上のグリコシル化された分子を結合することができることを特徴とする請求項１に記載の組成物。
【請求項８】
前記抗原が、キメラタンパク質であることを特徴とする請求項１に記載の組成物。
【請求項９】
被験体において免疫反応を引き起こすための医薬として使用するための請求項１に記載の組成物。
【請求項１０】
被験体において免疫反応を引き起こすための医薬を調製するための請求項１に記載の組成物の使用。
【手続補正２】
【補正対象書類名】明細書
【補正対象項目名】０２６７
【補正方法】変更
【補正の内容】
【０２６７】
プラスミドの構築及び形質転換
（Prof. Ze Chen, Wuhan, Chinaから快く供給された）pGEM-HAからHA遺伝子を含有する1704 bp断片を、下線を引いたNaeIまたはHindIIIの部位：5'-tctgccggcgagaaaatagtgcttctt-3'（配列番号５３）と、5'-cccaagctttaaatgcaaattctgcattgtaacg-3'（配列番号５４）を有する以下のプライマー対を使用して、ポリメラーゼ連鎖反応（PCR）によって増幅させた。PCR産物を配列決定した。結果として生じるNaeI/HindIII断片を、L. lactis-pHA（細胞質中で発現したHAタンパク質）、L. lactis-pSHA（分泌されたHAタンパク質）及びL. lactis-pgsA-HA（HAタンパク質は細胞壁の表面に表示された）を含む、様々なベクターへとクローン化した。
【手続補正３】
【補正対象書類名】明細書
【補正対象項目名】０３０７
【補正方法】変更
【補正の内容】
【０３０７】
F. 免疫学的技術
IBDV、HCV、PRRSV及びあらかじめ染色されたタンパク質標識（board range, Bio-Rad）を、6Xローディングバッファー（30mMのトリス-Cl、pH6.8、30%のグリセロール、10%のSDS、600mMのジチオスレイトール、0.012%のブロモフェノールブルー）と混合し、10分間沸騰水浴中で変性させた。変性したウイルスタンパク質を、その後、垂直電気泳動装置（Hoefer Scientifc Instruments）を備えた、ナトリウムドデシル硫酸塩-ポリアクリルアミドのゲル電気泳動法（SDS-PAGE）によって分析した。サンプルを最初に、5%の濃縮用ゲル中に濃縮し、次に、12%の分離ゲル中で分離した。電気泳動を、タンパク質ランニングバッファー（protein running buffer）中で、80Vで2.5時間実行した。ゲルを、クーマシーブルーで染色するか、又はウエスタンブロットのために使用した。
【手続補正４】
【補正対象書類名】明細書
【補正対象項目名】０３４１
【補正方法】変更
【補正の内容】
【０３４１】
【表２２】
2012532933.tif 000001
【手続補正５】
【補正対象書類名】明細書
【補正対象項目名】０４０３
【補正方法】変更
【補正の内容】
【０４０３】
＜実施例7＞
ニワトリの病原ウイルスの分離及び特徴づけの実証
本実施例は、S-1遺伝子の多様性に基づいた、ニワトリ伝染性気管支炎ウイルス（IBV）の異なる亜株の分離及び特徴づけを実証する。中国南部の異なる地理的地域から集められた、5つの領域性13V分離株は、PCR配列決定とともに特徴付けられた。IBVの全体のS-1遺伝子に隣接する1対のプライマーを、公開された配列データに従って設計し、推測されるPCR産物のサイズは、1760塩基対である。結果として生じるPCR産物を、pGEM-Tのイージーベクター（easy vector）へさらにサブクローン化し、配列決定させた。分離株間の遺伝的関係の分析は、中国南部の5つの分離株のS-1遺伝子の多様性が、非常に高かったことを示す。これらの5つの分離株の間のヌクレオチド変異は、8%〜48%までの範囲であって、5つの分離株は、進化系統樹分析に従って、3つの群に分類され得る。2つの保存領域および2つの高頻度可変領域もまた、これらの分離株間で同定された。本実施例は、中国の異なる地域の養鶏場が、ワクチン接種の失敗を防ぐために、特定の地域のそれぞれの遺伝子型と一致したワクチン株でニワトリにワクチン接種するべきであることを示す。さらに、他の病原体の亜株は、本発明に従って、より有効なワクチンの調製及び投与に関して同定され得る。
【手続補正６】
【補正対象書類名】明細書
【補正対象項目名】０４０９
【補正方法】変更
【補正の内容】
【０４０９】
S-1遺伝子の全体の配列を、3つのプライマー対（プライマー-1及びプライマー-2; IBV-F及びIBV-R; IBV-FOR及びIBV-REV）で配列決定することによって得た。S-1遺伝子の全体の配列を得るために、V1、V2、V3、V4及びV5の分離株に対するS-1遺伝子の800塩基対フラグメントを、RT-PCR増幅し、3つの陽性クローンを、pGEM-Tのイージーベクターへサブクローン化した。
【手続補正７】
【補正対象書類名】明細書
【補正対象項目名】配列表
【補正方法】追加
【補正の内容】
【配列表】
2012532933000001.app
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
少なくとも、(a) 非ハロゲン化天然ゴム(NR)を含むエラストマーマトリックス、(b) 補強用充填剤、(c) 下記の式１または２に相応するポリイミン化合物をベースとする強化ゴム組成物：
【化１】
2012532944.tif 000001
式１
【化２】
2012532944.tif 000002
式２
(式中、
R4、R5、R6およびR7は、同一または異なるものであって、1〜20個の炭素原子を有するアルキル基、5〜24個の炭素原子を有するシクロアルキル基、6〜18個の炭素原子を有するアリール基または7〜25個の炭素原子を有するアラルキル基から選ばれ；
R1およびR2は、同一または異なるものであって、1〜20個の炭素原子を有するアルキリデン、5〜24個の炭素原子を有するシクロアルキリデン、6〜18個の炭素原子を有するアリーリデン、7〜25個の炭素原子を有するアラルキリデンおよび同一または異なるものであって4〜25個の炭素原子を有する複素環からなる群から選ばれ；
R3およびR8は、同一または異なるものであって、1〜20個の炭素原子を有するアルキリデン、1〜20個の炭素原子を有するアルキリジン、1〜20個の炭素原子を有するアルキリリジン、5〜24個の炭素原子を有するシクロアルキリデン、5〜24個の炭素原子を有するシクロアルキリジン、5〜24個の炭素原子を有するシクロアルキリリジン、6〜18個の炭素原子を有するアリーリデン、6〜18個の炭素原子を有するアリーリジン、6〜18個の炭素原子を有するアリーリリジン、7〜25個の炭素原子を有するアラルキリデン、6〜18個の炭素原子を有するアラルキリジン、6〜18個の炭素原子を有するアラルキリリジン、および同一または異なるものであって4〜25個の炭素原子を有する複素環からなる群から選ばれ；
R3は、必要に応じて、O、N、SおよびSiから選ばれる１個以上のヘテロ原子を含み；
mは、1、2または3に等しく、
nは、1、2または3に等しい)。
【請求項２】
前記補強用充填剤が、有機充填剤、例えば、カーボンブラックを、補強用充填剤の総質量の100質量％の割合で含む、請求項１記載のゴム組成物。
【請求項３】
前記補強用充填剤が、補強用無機充填剤を、補強用充填剤の総質量の55質量％〜100質量％の範囲の割合で含む、請求項１または２記載のゴム組成物。
【請求項４】
下記の段階：
(i) 130℃と200℃の間の最高温度において、架橋系を除いた前記ゴム組成物の必須ベース構成成分の熱機械的加工の第１工程を、天然ゴムをベースとするエラストマーマトリックス中に前記組成物の成分を混練により緊密に混入することによって実施する段階；その後の、
(ii) 前記第１工程の最高温度よりも低い、好ましくは110℃よりも低い温度において、前記架橋系を混入する機械的加工の第２工程を実施する段階；
を含み、前記段階(i)を実施する前に、式１または２に相応するポリイミン化合物の添加の段階を含む天然ゴムの製造段階を含むことを特徴とする、請求項１〜３のいずれか１項記載の強化ゴム組成物の製造方法。
【請求項５】
下記の段階：
(i) 130℃と200℃の間の最高温度において、架橋系を除いた前記ゴム組成物の必須ベース構成成分の熱機械的加工の第１工程を、天然ゴムをベースとするエラストマーマトリックス中に前記組成物の成分を混練により緊密に混入することによって実施する段階；その後の、
(ii) 前記第１工程の最高温度よりも低い、好ましくは110℃よりも低い温度において、前記架橋系を混入する機械的加工の第２工程を実施する段階；
を含み、前記段階(i)を実施する前に、天然ゴムと前記ポリイミン化合物をベースとするマスターバッチの製造段階を含むことを特徴とする、請求項１〜３のいずれか１項記載の強化ゴム組成物の製造方法。
【請求項６】
(i) 130℃と200℃の間の最高温度において、架橋系を除いた前記ゴム組成物の必須ベース構成成分の熱機械的加工の第１工程を、天然ゴムをベースとするエラストマーマトリックス中に前記組成物の成分を混練により緊密に混入することによって実施する段階；その後の、
(ii) 前記第１工程の最高温度よりも低い、好ましくは110℃よりも低い温度において、前記架橋系を混入する機械的加工の第２工程を実施する段階；
を含み、前記ポリイミン化合物を、段階(i)中に、前記組成物の他の化合物と一緒に直接添加することを特徴とする、請求項１〜３のいずれか１項記載の強化ゴム組成物の製造方法。
【請求項７】
請求項１〜３のいずれか１項記載の架橋可能なまたは架橋したゴム組成物を含むタイヤゴム半製品。
【請求項８】
請求項７記載の半製品を含むタイヤ。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
少なくとも、(a) 非ハロゲン化天然ゴム(NR)を含むエラストマーマトリックス、(b) 補強用充填剤、(c) 100gのエラストマー当り0ミリモルと7ミリモルの間の量の下記の式１または２に相応する第一級ポリアミン化合物をベースとする強化ゴム組成物：
【化１】
2012532946.tif 000001
(式中、
R1およびR2は、同一または異なるものであって、1〜20個の炭素原子を有するアルキリデン、5〜24個の炭素原子を有するシクロアルキリデン、6〜18個の炭素原子を有するアリーリデン、7〜25個の炭素原子を有するアラルキリデンおよび同一または異なるものであって4〜25個の炭素原子を有する複素環からなる群から選ばれ；
R3およびR4は、同一または異なるものであって、1〜20個の炭素原子を有するアルキリデン、1〜20個の炭素原子を有するアルキリジン、1〜20個の炭素原子を有するアルキリリジン、5〜24個の炭素原子を有するシクロアルキリデン、5〜24個の炭素原子を有するシクロアルキリジン、5〜24個の炭素原子を有するシクロアルキリリジン、6〜18個の炭素原子を有するアリーリデン、6〜18個の炭素原子を有するアリーリジン、6〜18個の炭素原子を有するアリーリリジン、7〜25個の炭素原子を有するアラルキリデン、6〜18個の炭素原子を有するアラルキリジン、6〜18個の炭素原子を有するアラルキリリジン、および同一または異なるものであって4〜25個の炭素原子を有する複素環からなる群から選ばれ；
R3は、必要に応じて、O、N、SおよびSiから選ばれる１個以上の同一または異なるヘテロ原子を含み；
mは、1、2または3に等しく、
nは、1、2または3に等しい)。
【請求項２】
少なくとも２個の第一級アミン官能基を有する前記ポリアミン化合物が、ジアミン、トリアミンおよびテトラアミンから選ばれる、請求項１記載のゴム組成物。
【請求項３】
下記の段階：
(i) 130℃と200℃の間の最高温度において、架橋系を除いた前記ゴム組成物の必須ベース構成成分の熱機械的加工の第１工程を、天然ゴムをベースとするエラストマーマトリックス中に前記組成物の成分を混練により緊密に混入することによって実施する段階；その後の、
(ii) 前記第１工程の最高温度よりも低い、好ましくは110℃よりも低い温度において、前記架橋系を混入する機械的加工の第２工程を実施する段階；
を含み、前記段階(i)を実施する前に、式１または２に相応する第一級ポリアミン化合物の添加の段階を含む天然ゴムの製造段階を含むことを特徴とする、請求項１または２記載の強化ゴム組成物の製造方法。
【請求項４】
下記の段階：
(i) 130℃と200℃の間の最高温度において、架橋系を除いた前記ゴム組成物の必須ベース構成成分の熱機械的加工の第１工程を、天然ゴムをベースとするエラストマーマトリックス中に前記組成物の成分を混練により緊密に混入することによって実施する段階；その後の、
(ii) 前記第１工程の最高温度よりも低い、好ましくは110℃よりも低い温度において、前記架橋系を混入する機械的加工の第２工程を実施する段階；
を含み、前記段階(i)を実施する前に、非ハロゲン化天然ゴムと前記第一級ポリアミン化合物をベースとするマスターバッチの製造段階を含むことを特徴とする、請求項１または２記載の強化ゴム組成物の製造方法。
【請求項５】
(i) 130℃と200℃の間の最高温度において、架橋系を除いた前記ゴム組成物の必須ベース構成成分の熱機械的加工の第１工程を、天然ゴムをベースとするエラストマーマトリックス中に前記組成物の成分を混練により緊密に混入することによって実施する段階；その後の、
(ii) 前記第１工程の最高温度よりも低い、好ましくは110℃よりも低い温度において、前記架橋系を混入する機械的加工の第２工程を実施する段階；
を含み、前記第一級ポリアミン化合物を、段階(i)中に、前記組成物の他の化合物と一緒に直接添加することを特徴とする、請求項１または２記載の強化ゴム組成物の製造方法。
【請求項６】
請求項１または２記載の架橋可能なまたは架橋したゴム組成物を含むタイヤゴム半製品。
【請求項７】
請求項６記載の半製品を含むタイヤ。
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
ａ）非常に微細に分割された形態における、５ｎｍ〜５００μｍの大きさの粒子を含有するか又は該粒子から成る少なくとも１種の成分（Ｉ）が、
ｂ）少なくとも１種の更なる成分（ＩＩ）からの液相に存在し、該成分（Ｉ）の粒子がエネルギー供給による活性化後に該成分（ＩＩ）と反応することができ、
ｃ）その際、該成分（Ｉ）の粒子が成分（ＩＩ）に可溶性ではない
ことを特徴とする、反応系。
【請求項２】
成分（Ｉ）が、
化学反応、有利には重合、重付加、重縮合用の開始剤、
化学反応用の活性化剤、
化学反応用の触媒、
重合、重付加、重縮合用のモノマー
及びそれらの混合物から成る群から選択されることを特徴とする、請求項１記載の反応系。
【請求項３】
前記エネルギー供給が化学線及び／又は熱エネルギーによって行われることを特徴とする、請求項１又は２記載の反応系。
【請求項４】
成分（ＩＩ）が、
（ｉ）少なくとも１種のポリマー、
（ｉｉ）１種以上のモノマー又はモノマー混合物
又は
（ｉｉｉ）モノマー及びポリマーからの混合物
から成る群から選択されることを特徴とする、請求項１から３までのいずれか１項記載の反応系。
【請求項５】
成分（ＩＩ）が、付加的に少なくとも１種の溶媒を含有し、ただし、該溶媒が成分（Ｉ）の粒子を溶解しないことを特徴とする、請求項１から４までのいずれか１項記載の反応系。
【請求項６】
成分（ＩＩ）が、モノマー、ポリマー及び／又は、成分（Ｉ）の粒子を溶解しない溶媒からの混合物から成ることを特徴とする、請求項１から５までのいずれか１項記載の反応系。
【請求項７】
（Ａ）少なくとも１つのＣ−Ｃ不安定結合を有する、少なくとも１種の化合物、
（Ｂ）該成分（Ａ）が可溶性ではない溶媒又は溶媒混合物、及び
（Ｃ）場合により、成分（Ａ）用の１種以上の分散助剤
から成り、その際、該化合物（Ａ）が（Ｂ）に５ｎｍ〜５００μｍの粒径を有する分散固体として存在する、反応調製物。
【請求項８】
成分（Ａ）３０〜５０質量％、有利には３５〜４５質量％、特に有利には３８〜４２質量％、
成分（Ｂ）２５〜７０質量％、有利には３５〜６０質量％、特に有利には４０〜５０質量％及び
成分（Ｃ）０〜２５質量％、有利には５〜２０質量％、特に有利には１０〜１８質量％
から成る、請求項７記載の反応調製物。
【請求項９】
成分（Ａ）について、一般式
【化１】
2012532974.tif 000001
［式中、変数は、それぞれ互いに無関係に、次の意味を有する：
Ｒ1及びＲ3＝アルキル基及び／又はハロゲンによって１〜５箇所置換されていてよい芳香族基、
Ｒ2及びＲ4＝水素、アルキル基及び／又はハロゲンによって１〜５箇所置換されていてよい芳香族基、又は脂肪族基、
Ａ及びＢ＝ヒドロキシル、Ｃ1〜Ｃ4−アルコキシ基及び／又はハロゲンを意味する］に相当する化合物
及び／又は
ポリ−１，４−ジイソプロピルベンゼンが使用されることを特徴とする、請求項７又は８記載の反応調製物。
【請求項１０】
成分（Ａ）として、高度に置換されたエタン誘導体、２，３−ジメチル−２，３−ジフェニルブタン、ポリ−１，４−ジイソプロピルベンゼン及びそれらの混合物から成る群から選択された化合物、有利には高度に置換されたエタン誘導体が使用されることを特徴とする、請求項７から９までのいずれか１項記載の反応調製物。
【請求項１１】
前記高度に置換されたエタン誘導体が、１，１，２，２−テトラフェニルエタンジオール、ベンゼン核上で置換されたベンゾピナコール、１，２−ジ−ｔ−ブチルエタンジオール及びその誘導体、並びにそれらの混合物から成る群から選択されることを特徴とする、請求項１０記載の反応調製物。
【請求項１２】
成分（Ｃ）として、酸性基を有するポリマーの塩、顔料親和性基を有する高分子量コポリマーのリン酸エステル塩、顔料親和性基を有する高分子量ブロックコポリマー及びそれらからの混合物の群から選択された化合物が使用されることを特徴とする、請求項７から１１までのいずれか１項記載の反応調製物。
【請求項１３】
成分（Ｂ）として、芳香族化合物含有の蒸留留分、芳香族化合物不含の炭化水素混合物、エステル、エーテル、スチレン、ビニルトルエン、ブチルアクリレート、ブチルメタクリレート及びそれらの混合物から成る群から選択された溶媒が使用されることを特徴とする、請求項７から１２までのいずれか１項記載の反応調製物。
【請求項１４】
ａ）成分（Ａ）、（Ｂ）及び（Ｃ）を互いに混合し、且つ
ｂ）次いで粉砕を、該成分（Ａ）が５ｎｍ〜５００μｍの粒径で存在する分散液が得られるまで行うことを特徴とする、請求項７から１２までのいずれか１項記載の反応調製物の製造法。
【請求項１５】
プラスチック工業及び／又は電気工業において、重合可能な材料、有利には含浸用樹脂及び／又は注型用樹脂又はワニス、殊にワイヤエナメル及び含浸用ワニスを硬化するための、請求項７から１２までのいずれか１項記載の反応調製物の使用。
【請求項１６】
プラスチック工業及び／又は電気工業、有利には含浸用樹脂及び／又は注型用樹脂又はワニス、殊にワイヤエナメル及び含浸用ワニスにおける、請求項１から６までのいずれか１項記載の反応系の使用。
【請求項１７】
ａ）エネルギー供給によって活性化可能な、５ｎｍ〜５００μｍの大きさの粒子からの少なくとも１種の成分（Ｉ）を、
ｂ）少なくとも１種の更なる成分（ＩＩ）からの液相中で非常に微細に分割させることによって反応系を製造し、該エネルギー供給によって活性化可能な成分（Ｉ）が活性化後に該成分（ＩＩ）と反応することができ、且つ該成分（ＩＩ）に該成分（Ｉ）が可溶性ではない、制御された反応操作法。
【請求項１８】
前記分割を粉砕によって行うことを特徴とする、請求項１７記載の方法。
【請求項１９】
請求項７から１２までのいずれか１項記載の反応調製物及び重合可能な化合物若しくは硬化可能な化合物を含有する組成物。
【請求項２０】
ワニス、殊にワイヤエナメル又は含浸用ワニス又は、又は含浸用樹脂又は注型用樹脂であることを特徴とする、請求項１９記載の組成物。
【手続補正書】
【提出日】平成25年6月24日(2013.6.24)
【手続補正１】
【補正対象書類名】特許請求の範囲
【補正対象項目名】請求項１
【補正方法】変更
【補正の内容】
【請求項１】
炭化水素をアミノ炭化水素に直接アミノ化するプロセスであって、
反応ゾーンＲＺ中で、少なくとも一種の炭化水素と少なくとも一種のアミノ化剤を含む供給流Ｅを反応させてアミノ炭化水素と水素を含む反応混合物Ｒを形成し、
少なくとも一層の選択的プロトン伝導性膜と該膜の各面に少なくとも一個の電極触媒をもつ気密膜−電極アセンブリにより、反応でできた水素の少なくとも一部を反応混合物Ｒから電気化学的に分離することからなり、
膜の未透過物側のアノード触媒上で少なくとも一部の水素が酸化されてプロトンとなり、このプロトンが膜を通過し、カソード触媒上で膜の透過物側に接触されられる酸素含有流Ｏに由来する酸素と反応して水を生じることを特徴とするプロセス。
【手続補正２】
【補正対象書類名】特許請求の範囲
【補正対象項目名】請求項４
【補正方法】変更
【補正の内容】
【請求項４】
上記水素除去が２０〜８００℃の温度、好ましくは５０〜７００℃、特に７０〜３５０℃の温度で行われる請求項１〜３のいずれか一項に記載のプロセス。
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
銅を含む基材と、
該基材の上に形成されたコーティングとを備える物品であって、
前記コーティングが、
Ｎｉと、ＷおよびＭｏの一方又は両方とを含み、０．１２７μｍ（５マイクロインチ）よりも大きい厚さを有する第１層と、
前記第１層の上に形成された第２層であって、Ａｕ、Ｒｕ、Ｏｓ、Ｒｈ、Ｉｒ、Ｐｄ、Ｐｔ、およびＡｇからなるグループから選択された金属を含み、０．７６２μｍ（３０マイクロインチ）よりも小さい厚さを有する第２層とを備える物品。
【請求項２】
前記コーティングは、ナノ結晶体である請求項１記載の物品。
【請求項３】
前記第１層は、０．５０８μｍ（２０マイクロインチ）よりも大きい厚さを有する請求項１記載の物品。
【請求項４】
前記第２層は、０．５０８μｍ（２０マイクロインチ）よりも小さい厚さを有する請求項１記載の物品。
【請求項５】
前記第２層は、０．２５４μｍ（１０マイクロインチ）よりも小さい厚さを有する請求項４記載の物品。
【請求項６】
前記第１層は、ニッケルタングステン合金を含む請求項１記載の物品。
【請求項７】
前記第１層は、ニッケルモリブデン合金を含む請求項１記載の物品。
【請求項８】
前記コーティングは、ＡＳＴＭ  Ｂ０７３５に従って、硝酸蒸気に２時間晒された後、１０ｍΩよりも小さい接触抵抗を持つ請求項１記載の物品。
【請求項９】
前記コーティングは、ＡＳＴＭ  Ｂ０８４５のプロトコルクラスIIａに従って、混合ガス流に５日間晒された後、１０ｍΩよりも小さい接触抵抗を持つ請求項１記載の物品。
【請求項１０】
前記コーティングは、ＡＳＴＭ  Ｂ０７３５に従って、硝酸蒸気に２時間晒された後、１スポット／ｃｍ２よりも小さいスポット密度を有する請求項１記載の物品。
【請求項１１】
前記第１層は、前記基材上に直接形成されている請求項１記載の物品。
【請求項１２】
前記第１層および第２層は、電着されている請求項１記載の物品。
【請求項１３】
順パルスおよび逆パルスを有する波形を使用して、基材上に第１のコーティング層を電着させる第１層電着ステップであって、前記基材が銅を含み、前記第１層がＮｉと、ＷおよびＭｏの一方又は両方とを含み、前記第１層が０．１２７μｍ（５マイクロインチ）よりも大きい厚さを有する、前記第１層電着ステップと、
前記第１層の上に第２のコーティング層を電着する第２層電着ステップであって、前記第２層がＡｕ、Ｒｕ、Ｏｓ、Ｒｈ、Ｉｒ、Ｐｄ、Ｐｔ、およびＡｇからなるグループから選択された金属を含み、前記第２層が０．７６２μｍ（３０マイクロインチ）よりも小さい厚さを有する、前記第２層電着ステップとを含む方法。
【請求項１４】
前記第１層および第２層は、ナノ結晶体である請求項１３記載の方法。
【請求項１５】
前記第２層は、順パルスおよび逆パルスを有する波形を使用して電着される請求項１３記載の方法。
【請求項１６】
前記第１層は、０．５０８μｍ（２０マイクロインチ）よりも大きい厚さを有する請求項１３記載の方法。
【請求項１７】
前記第２層は、０．５０８μｍ（２０マイクロインチ）よりも小さい厚さを有する請求項１３記載の方法。
【請求項１８】
前記第２層は、０．２５４μｍ（１０マイクロインチ）よりも小さい厚さを有する請求項１３記載の方法。
【請求項１９】
前記第１層は、ニッケルタングステン合金を含む請求項１３記載の方法。
【請求項２０】
前記第１層は、ニッケルモリブデン合金を含む請求項１３記載の方法。
【請求項２１】
物品は、ＡＳＴＭ  Ｂ０７３５に従って、硝酸蒸気に２時間晒された後、１０ｍΩよりも小さい接触抵抗を持つ請求項１３記載の方法。
【請求項２２】
物品は、ＡＳＴＭ  Ｂ０８４５のプロトコルクラスIIａに従って、混合ガス流に５日間晒された後、１０ｍΩよりも小さい接触抵抗を持つ請求項１３記載の方法。
【請求項２３】
前記コーティングは、ＡＳＴＭ  Ｂ０７３５に従って、硝酸蒸気に２時間晒された後、１スポット／ｃｍ２よりも小さいスポット密度を有する請求項１３記載の方法。
【請求項２４】
前記第１層は、前記基材上に直接形成されている請求項１３記載の方法。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
ａ）医薬級の水と、
ｂ）少なくとも１種の処理増強剤と、
ｃ）前記水に懸濁して懸濁液を形成している金ナノ結晶であって、ｉ）(1)表面に接着又は付着した有機化学成分が存在しない、及び/又は(2)実質的にクリーンで水又は処理増強剤以外に表面に接着又は付着した化学成分が存在しない、の少なくともいずれか一方の特性を有する表面を有し、かつ、前記ナノ結晶の官能化後に、ii)100nmより小さいモード粒径を有し、iii)前記懸濁液中に２〜200ppmの濃度で存在する、金ナノ結晶と
を含み、前記懸濁液が4.0〜9.5のｐHと、少なくとも-20mVのゼータ電位を有する、医薬的に許容可能な懸濁液。
【請求項２】
前記処理増強剤が重炭酸ナトリウムを含む、請求項１に記載の懸濁液。
【請求項３】
前記懸濁液が5.0〜9.5のｐHを有する、請求項２に記載の懸濁液。
【請求項４】
前記懸濁液が、少なくとも-40mVのゼータ電位を有する、請求項１に記載の懸濁液。
【請求項５】
前記懸濁液が、少なくとも-50mVのゼータ電位を有する、請求項１に記載の懸濁液。
【請求項６】
ａ）少なくとも１種の処理増強剤を含み5〜9.5のｐHを有する医薬級の水と、
ｂ）懸濁液を形成している前記水中の有形(shaped)の金ナノ結晶であって、前記懸濁液が少なくとも-20mVのゼータ電位を有し、前記金ナノ結晶が、ｉ）(1)表面に接着又は付着した有機化学成分が存在しない、及び/又は(2)実質的にクリーンで水又は処理増強剤以外に表面に接着又は付着した化学成分が存在しない、の少なくともいずれか一方の特性を有する表面を有し、かつ、前記ナノ結晶の官能化後に、ii)50nmより小さいモード粒径を有し、iii)前記懸濁液中に２〜200ppmの濃度で存在し、iv)15〜50%の範囲内の五角両錐体と四面体を含む形状を有する、医薬懸濁液。
【請求項７】
前記懸濁液が、少なくとも-40mVのゼータ電位を有する、請求項６に記載の懸濁液。
【請求項８】
ａ）少なくとも１種の処理増強剤を含み5〜9.5のｐHを有する医薬級の水と、
ｂ）懸濁液を形成している前記水中の金ナノ結晶であって、前記懸濁液が少なくとも約-20mVのゼータ電位を有し、前記金ナノ結晶が、ｉ）(1)表面に接着又は付着した有機化学成分が存在しない、及び/又は(2)実質的にクリーンで水又は処理増強剤以外に表面に接着又は付着した化学成分が存在しない、の少なくともいずれか一方の特性を有する表面を有し、かつ、前記ナノ結晶の官能化後に、ii)50nmより小さいモード粒径を有し、iii)前記懸濁液中に２〜200ppmの濃度で存在する、懸濁液。
【請求項９】
前記懸濁液が、少なくとも-40mVのゼータ電位を有する、請求項８に記載の懸濁液。
【請求項１０】
水に少なくとも１種の処理増強剤を提供し、
前記水を少なくとも１つのトラフ部材の中を流し、前記水は上方表面と流動方向を有し、
少なくとも１つのプラズマ形成電極を提供し、
前記少なくとも１つのプラズマ形成電極と前記流れる水の前記上方表面の間に少なくとも１つのプラズマを形成し、
前記流れる水に接触し前記少なくとも１つのプラズマ形成電極から前記流動方向の下流方向の位置に少なくとも１セットの金電極を提供し、
前記少なくとも１セットの金電極に少なくとも１つの電気化学反応を行うことを含む、水に懸濁された金ナノ結晶を形成する方法。
【請求項１１】
請求項１０の方法で製造された生成物。